(57)【要約】【課題】素材の分類時におけるオペレータの負担を軽減し、新聞制作効率の向上を図ること。【解決手段】本発明の新聞紙面の制作システムによれば、新聞紙面に掲載する少なくとも記事、画像、写真からなる複数の素材の素材情報を紙面上に配置することによって新聞紙面を制作するシステムにおいて、各素材を作成した作成部門名がそれぞれ記載された出稿メモ情報に基づいて、各素材の紙面への出稿計画を作成部門別に分類した出稿計画データを生成する素材管理サーバ１１を備えている。【選択図】　図１
2004005123.tif 000002
【特許請求の範囲】
【請求項１】
新聞紙面に掲載する素材の素材情報を紙面上に配置することによって新聞紙面を制作するシステムにおいて、
前記素材を作成した作成部門名がそれぞれ記載された出稿メモ情報に基づいて、前記素材の紙面への出稿計画を前記作成部門別に分類した出稿計画データを生成する出稿計画データ生成手段を備えた新聞紙面の制作システム。
【請求項２】
新聞紙面に掲載する素材の素材情報を紙面上に配置することによって新聞紙面を制作するシステムにおいて、
前記素材に付与されたテーマがそれぞれ記載された出稿メモ情報に基づいて、前記素材の紙面への出稿計画を前記テーマ別に分類した出稿計画データを生成する出稿計画データ生成手段を備えた新聞紙面の制作システム。
【請求項３】
請求項２に記載の新聞紙面の制作システムにおいて、
前記出稿メモ情報に記載されたテーマは、前記テーマを大分類した上位階層テーマと、前記上位階層テーマを細分類した中位階層テーマと、前記中位階層テーマを細分類した下位階層テーマとから構成されており、
前記出稿計画データ生成手段によって生成された出稿計画データを、前記上位階層テーマ、または前記中位階層テーマ、または前記下位階層テーマに基づいて分類する階層テーマ別分類手段を付加した新聞紙面の制作システム。
【請求項４】
請求項２に記載の新聞紙面の制作システムにおいて、
前記素材情報に基づいて決定される素材の属性情報と、前記テーマとの対応付けを定義した対応付けデータを予め備えた対応付けデータ格納手段と、
前記属性情報が付与され、前記テーマが付与されていない素材に対して、前記対応付けデータに基づいて、この属性情報に対応付けられたテーマを検索する検索手段と、
前記検索手段によって検索されたテーマをこの素材に付与するテーマ付与手段と
を付加した新聞紙面の制作システム。
【請求項５】
請求項２に記載の新聞紙面の制作システムにおいて、
前記テーマと、前記テーマに関連する関連語との対応付けを定義した対応付けデータを予め備えた対応付けデータ格納手段と、
前記素材情報に基づいて決定される素材の属性情報が付与され、前記テーマが付与されていない素材について、前記属性情報の中から前記関連語を検索し、前記対応付けデータに基づいて、この検索した関連語に対応付けられたテーマを検索する検索手段と、
前記検索手段によって検索されたテーマをこの素材に付与するテーマ付与手段と
を付加した新聞紙面の制作システム。
【請求項６】
請求項２に記載の新聞紙面の制作システムにおいて、
前記テーマと、前記テーマに関連する関連語との対応付けを定義した対応付けデータを予め備えた対応付けデータ格納手段と、
前記素材情報には文字列が含まれ、前記テーマが付与されていない素材について、前記文字列の中から前記関連語を検索し、前記対応付けデータに基づいて、この検索した関連語に対応付けられたテーマを検索する検索手段と、
前記検索手段によって検索されたテーマをこの素材に付与するテーマ付与手段と
を付加した新聞紙面の制作システム。
【請求項７】
新聞紙面に掲載する素材の素材情報を紙面上に配置することによって新聞紙面を制作するシステムにおいて、
前記素材を紙面に掲載する掲載予定日がそれぞれ記載された出稿メモ情報に基づいて、前記素材の紙面への出稿計画を前記掲載予定日別に分類した出稿計画データを生成する出稿計画データ生成手段を備えた新聞紙面の制作システム。
【請求項８】
請求項７に記載の新聞紙面の制作システムにおいて、
前記出稿メモ情報に基づいて、前記掲載予定日が同一の素材のそれぞれの出稿メモ情報を、前記掲載予定日に関連付けて格納する出稿メモ情報格納手段を付加した新聞紙面の制作システム。
【請求項９】
請求項８に記載の新聞紙面の制作システムにおいて、
前記出稿メモ格納手段に格納された各出稿メモ情報に、対応する素材のテーマを書き込むテーマ書込手段を付加した新聞紙面の制作システム。
【請求項１０】
コンピュータシステムを用いて、新聞の紙面に掲載する素材を各紙面に割り付け、前記割り付けられた素材を紙面上に配置することによって紙面データを作成し、作成した紙面データを降版することによって新聞紙面を制作する新聞紙面の制作システムに適用され、
前記各素材の内容がそれぞれインデックスされた出稿メモ情報を予め作成し、この出稿メモ情報に基づいて、前記各素材の紙面への出稿計画をまとめた出稿計画データを生成し、
この出稿計画データに基づいて、前記各素材を分類するようにした新聞紙面制作における出稿管理方法。
【発明の詳細な説明】
【０００１】
【発明の属する技術分野】
本発明は、新聞紙面の制作システム、および新聞紙面制作における出稿管理方法に係り、更に詳しくは、複数の取材記者による取材記事に基づいて作成される新聞の取材出稿を管理する新聞紙面制作における出稿管理方法、およびそれを適用した新聞紙面の制作システムに関する。
【０００２】
【従来の技術】
従来、新聞記者は、取材予定をまとめた出稿メモを、新聞制作作業を行うデスクに事前に送信し、デスクではその出稿メモに基づいて、テーマ、掲載記事の量、あるいは写真の有無といった掲載内容を決めた出稿計画が立案されている。
【０００３】
そして、各記者は、自分の担当する取材を終えると、作成した記事、あるいは写真等といった素材情報をデスクに提供する。デスクでは、このようにして各記者から記事、あるいは写真等といった素材情報が送信されると、各取材記者から送信された素材情報の内容を確認し、その結果に基づいて、まず、どのジャンル（政治、経済、家庭、運動など）のものであるかが判別される。
【０００４】
各素材情報は、このようにして判別されたジャンルを担当する出稿部門へと渡される。更に、各出稿部門の判断によって選別された素材情報のみが編集部門へと出稿される。編集部門では、出稿された各素材情報が更に、その内容に応じてどのテーマに属するものであるかが分類された後に、図２１にその構成例を示すような新聞制作システムを用いて、これらテーマ別に分類された素材情報の紙面上への配置作業が行われる。
【０００５】
この新聞紙面制作システムは、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とによって構成されている。
【０００６】
記事入力／校正端末１は、記事の入力および校正を行うための端末であり、記者によって記事情報が入力されると、入力された記事情報は、この記事入力／校正端末１によって記事サーバ２に出力される。また、この記事入力／校正端末１によって、記事サーバ２に蓄積されている記事情報が取得される。この取得された記事情報は、記事入力／校正端末１を介してなされるオペレータ操作によって校正がなされ、更に校正された記事情報は、記事入力／校正端末１から記事サーバ２に再び出力される。
【０００７】
記事サーバ２では、このようにして記事入力／校正端末１から入力された記事情報の他に、図示しない通信回線を経由して友好社や通信社などから入力された記事情報も送信される。この送信された記事情報もまた記事サーバ２に蓄積される。更に、記事入力／校正端末１からの校正要求に基づいて、蓄積している記事情報の中から要求のあった記事情報は、記事サーバ２から記事入力／校正端末１へと出力される。更に、記事サーバ２に蓄積されている記事情報は、オペレータ指示に基づいて組版編集サーバ６に出力される。
【０００８】
スキャナやディスプレイ等が備えられている画像入力／加工端末３では、画像データの入力および画像データの加工が行われる。入力された画像データは、画像入力／加工端末３から画像サーバ４へと出力される。また、オペレータから入力された画像データの加工操作入力に基づいて画像データの加工が行われ、加工された画像データは、この画像入力／加工端末３から画像サーバ４へと出力される。
【０００９】
画像入力／加工端末３から出力された画像データは、画像サーバ４に蓄積される。また、画像サーバ４に蓄積されている画像データは、画像入力／加工端末３から要求があると、画像入力／加工端末３に出力される。また、オペレータから指示があった場合には、組版編集サーバ６に出力される。
【００１０】
組版端末５は、オペレータが、記事、画像、および見出しのレイアウト編集を行うための操作入力を行う端末であり、各オペレータに対して１台ずつ備えられている。各オペレータは、自己が操作担当する組版端末５を操作することによってレイアウト編集作業を行っている。図２１では、代表的に１台の組版端末５のみを示しているが、勿論１台に限るものではない。組版端末５に操作入力されて作成された操作情報は、組版編集サーバ６に出力される。
【００１１】
組版編集サーバ６では、組版端末５から出力された操作情報に基づいて、紙面データ７１の編集作業が行われる。そして、このように組版編集サーバ６で編集作業がなされた紙面データ７１は、紙面データ格納部７に格納される。また、一旦格納された紙面データ７１が再び組版編集サーバ６へと読み出され、再び編集作業が行われた後に紙面データ格納部７に格納されることも可能である。
【００１２】
出力サーバ８では、組版端末５からの大刷／版下出力指示にしたがって、組版編集サーバ６から出力された紙面データ７１がドットデータに展開される。このように展開されたドットデータに基づいて、プリンタ／プロッタ９から大刷や版下が出力される。
【００１３】
【発明が解決しようとする課題】
しかしながら、このような従来の新聞紙面の制作方法には、以下のような問題がある。
【００１４】
すなわち、上述したように、編集部門では、新聞制作システムを用いて新聞紙面の制作作業を行う前に、各出稿部門から出稿された素材情報のテーマ別分類がなされている。新聞紙面を制作するためは、膨大な量の素材情報が必要となる。したがって、各出稿部門から出稿される素材情報の量はそれぞれ膨大なものとなる。
【００１５】
しかしながら、この分類作業は、まず、オペレータが素材情報の内容を逐一確認し、その確認結果に基づきオペレータがどのテーマに属するかを判断することによってなされているので、オペレータの負担が大きく、新聞制作効率の低下をもたらしているという問題がある。
【００１６】
本発明はこのような事情に鑑みてなされたものであり、取材前に予め素材の内容をインデックスした出稿メモを作成し、この出稿メモに基づいて各素材の紙面への出稿計画をまとめ、この出稿計画を素材の分類に活用することによって、素材の分類時におけるオペレータの負担を軽減し、もって、新聞制作効率の向上を図ることが可能な新聞紙面の制作システム、および新聞紙面制作における出稿管理方法を提供することを目的とする。
【００１７】
【課題を解決するための手段】
上記の目的を達成するために、本発明では、以下のような手段を講じる。
【００１８】
すなわち、請求項１の発明は、新聞紙面に掲載する少なくとも記事、画像、写真からなる複数の素材の素材情報を紙面上に配置することによって新聞紙面を制作するシステムにおいて、各素材を作成した作成部門名がそれぞれ記載された出稿メモ情報に基づいて、各素材の紙面への出稿計画を作成部門別に分類した出稿計画データを生成する出稿計画データ生成手段を備えている。
【００１９】
従って、請求項１の発明の新聞紙面の制作システムにおいては、以上のような手段を講じることにより、実際の素材情報が搬入されていない段階であっても、出稿メモに記載された作成部門名に基づいて、作成部門別の出稿計画を立案することができる。その結果、新聞紙面の制作効率を向上することが可能となる。
【００２０】
請求項２の発明は、新聞紙面に掲載する少なくとも記事、画像、写真からなる複数の素材の素材情報を紙面上に配置することによって新聞紙面を制作するシステムにおいて、各素材に付与されたテーマがそれぞれ記載された出稿メモ情報に基づいて、各素材の紙面への出稿計画をテーマ別に分類した出稿計画データを生成する出稿計画データ生成手段を備えている。
【００２１】
従って、請求項２の発明の新聞紙面の制作システムにおいては、以上のような手段を講じることにより、実際の素材情報が搬入されていない段階であっても、出稿メモに記載されたテーマに基づいて、出稿計画を立案することができる。その結果、新聞紙面の制作効率を向上することが可能となる。
【００２２】
請求項３の発明は、請求項２の発明の新聞紙面の制作システムにおいて、出稿メモ情報の発明されたテーマは、テーマを大分類した上位階層テーマと、上位階層テーマを細分類した中位階層テーマと、中位階層テーマを細分類した下位階層テーマとから構成されており、出稿計画データ生成手段によって生成された出稿計画データを、上位階層テーマ、または中位階層テーマ、または下位階層テーマに基づいて分類する階層テーマ別分類手段を付加している。
【００２３】
従って、請求項３の発明の新聞紙面の制作システムにおいては、以上のような手段を講じることにより、素材をテーマ別に細かく分類して、より詳細な出稿計画を立案することができ、新聞紙面の制作効率をより向上することが可能となる。
【００２４】
請求項４の発明は、請求項２の発明の新聞紙面の制作システムにおいて、素材情報に基づいて決定される素材の属性情報とテーマとの対応付けを定義した対応付けデータを予め備えた対応付けデータ格納手段と、属性情報が付与され、テーマが付与されていない素材に対して、対応付けデータに基づいて、この属性情報に対応付けられたテーマを検索する検索手段と、検索手段によって検索されたテーマをこの素材に付与するテーマ付与手段とを付加している。
【００２５】
従って、請求項４の発明の新聞紙面の制作システムにおいては、以上のような手段を講じることにより、例えば他通信社や、友好社などから提供されたテーマが付与されていない素材であっても、素材情報の内容に基づいて自動的にテーマを付与することができる。その結果、他通信社や友好社のように第三者から提供された素材に対しても適用することができ、素材を広く取り扱うことができる。
【００２６】
請求項５の発明は、請求項２の発明の新聞紙面の制作システムにおいて、テーマとこのテーマに関連する関連語との対応付けを定義した対応付けデータを予め備えた対応付けデータ格納手段と、素材情報に基づいて決定される素材の属性情報が付与され、テーマが付与されていない素材について、属性情報の中から関連語を検索し、対応付けデータに基づいて、この検索した関連語に対応付けられたテーマを検索する検索手段と、検索手段によって検索されたテーマをこの素材に付与するテーマ付与手段とを付加している。
【００２７】
従って、請求項５の発明の新聞紙面の制作システムにおいては、以上のような手段を講じることにより、例えば他通信社や、友好社などから提供され、テーマが付与されていない素材であっても、素材情報の内容に基づいて自動的にテーマを付与することができる。その結果、他通信社や友好社のように第三者から提供された素材に対しても適用することができ、素材を広く取り扱うことができる。
【００２８】
請求項６の発明は、請求項２の発明の新聞紙面の制作システムにおいて、テーマとこのテーマに関連する関連語との対応付けを定義した対応付けデータを予め備えた対応付けデータ格納手段と、素材情報には文字列が含まれ、テーマが付与されていない素材について、文字列の中から関連語を検索し、対応付けデータに基づいて、この検索した関連語に対応付けられたテーマを検索する検索手段と、検索手段によって検索されたテーマをこの素材に付与するテーマ付与手段とを付加している。
【００２９】
従って、請求項６の発明の新聞紙面の制作システムにおいては、以上のような手段を講じることにより、例えば他通信社や、友好社などから提供され、テーマが付与されていない素材であっても、素材情報の内容に基づいて自動的にテーマを付与することができる。その結果、他通信社や友好社のように第三者から提供された素材に対しても適用することができ、あるテーマに関連する素材を広く取り扱うことができる。
【００３０】
請求項７の発明は、新聞紙面に掲載する少なくとも記事、画像、写真からなる複数の素材の素材情報を紙面上に配置することによって新聞紙面を制作するシステムにおいて、各素材を紙面に掲載する掲載予定日がそれぞれ記載された出稿メモ情報に基づいて、各素材の紙面への出稿計画を掲載予定日別に分類した出稿計画データを生成する出稿計画データ生成手段を備えている。
【００３１】
従って、請求項７の発明の新聞紙面の制作システムにおいては、以上のような手段を講じることにより、実際の素材情報が搬入されていない段階であっても、出稿メモに記載された掲載予定日に基づいて、掲載予定日別の出稿計画を立案することができる。その結果、新聞紙面の制作効率を向上することが可能となる。
【００３２】
請求項８の発明は、請求項７の発明の新聞紙面の制作システムにおいて、出稿メモ情報に基づいて、掲載予定日が同一の各素材のそれぞれの出稿メモ情報を、掲載予定日に関連付けて格納する出稿メモ情報格納手段を付加している。
【００３３】
従って、請求項８の発明の新聞紙面の制作システムにおいては、以上のような手段を講じることにより、掲載予定日と素材との関連付けを自動的に行うことができ、新聞紙面の制作効率を向上することが可能となる。
【００３４】
請求項９の発明は、請求項８の発明の新聞紙面の制作システムにおいて、出稿メモ格納手段に格納された各出稿メモ情報に、対応する素材のテーマを書き込むテーマ書込手段を付加している。
【００３５】
従って、請求項９の発明の新聞紙面の制作システムにおいては、以上のような手段を講じることにより、搬入されたにも関わらずテーマがまだ決まっていない素材に対しても対応することができるという高い柔軟性を備えている。
【００３６】
請求項１０の発明は、コンピュータシステムを用いて、新聞の紙面に掲載する少なくとも記事、画像、写真からなる複数の素材を各紙面に割り付け、割り付けられた素材を紙面上に配置することによって紙面データを作成し、作成した紙面データを降版することによって新聞紙面を制作する新聞紙面の制作システムに適用され、各素材の内容がそれぞれインデックスされた出稿メモ情報を予め作成し、この出稿メモ情報に基づいて、各素材の紙面への出稿計画をまとめた出稿計画データを生成し、この出稿計画データに基づいて、各素材を分類する。
【００３７】
従って、請求項１０の発明の新聞紙面制作における出稿管理方法においては、以上のような手段を講じることにより、実際の素材情報が搬入されていない段階であっても、出稿メモにまとめられた断片的な情報に基づいて、任意のタイミングで出稿計画を立案することができる。その結果、新聞紙面の制作効率を向上することが可能となる。
【００３８】
【発明の実施の形態】
以下に、本発明の実施の形態について図面を参照しながら説明する。
【００３９】
なお、以下の本発明の実施の形態の説明に用いる図中の符号は、図２１と同一部分については同一符号を付している。また、同一符号が付された箇所については、その説明を省略し、異なる部分についてのみ述べる。
【００４０】
本発明の実施の形態を図１から図２０を用いて説明する。
【００４１】
図１は、本発明の実施の形態に係る新聞紙面制作における出稿管理方法を適用した新聞紙面制作システムの構成例を示す機能ブロック図である。
【００４２】
すなわち、本発明の実施の形態に係る新聞紙面制作における出稿管理方法を適用した新聞紙面制作システムは、図２１に示す従来技術の新聞紙面制作システムに、素材管理サーバ１１と、出稿端末１２とを付加した構成としている。
【００４３】
更に、図２に示すように、素材管理サーバ１１は、記事入力／校正端末１および画像入力／加工端末３から記事情報および画像情報を取得し、出稿端末１２を介してなされるオペレータ操作に基づいて出稿管理処理がなされるようにしている。この出稿管理処理を行うために、出稿計画データ生成部１４と、対応付データ格納部１６と、テーマ検索部１７と、素材格納部１８と、出稿メモ情報格納部１９と、テーマ書込部２０とを備えている。
【００４４】
出稿端末１２は、取材記者が、出稿メモ情報を作成し、入力するための入力手段である。出稿メモ情報ＳＫは、図３（ａ）にそのデータ構成例を示すように、各素材毎にテーマ名ＴＭ、掲載日付ＤＴ、出稿部門名ＢＮ名がそれぞれインデックスされたデータである。また、図３（ｂ）に示すように、テーマを３階層で構成し、テーマを大分類した上位階層テーマ名ＵＴＭと、上位階層テーマを細分類した中位階層テーマ名ＭＴＭと、中位階層テーマを細分類した下位階層テーマ名ＤＴＭとからなるようにしても良い。出稿端末１２は、オペレータによってこのような出稿メモ情報ＳＫが入力されると、入力された出稿メモ情報ＳＫを出稿計画データ生成部１４に出力する。
【００４５】
出稿計画データ生成部１４は、出稿端末１２から出力された出稿メモ情報ＳＫに基づいて、図４または図５のフローチャートに示すように動作し、図６にその一例を示すような各素材の紙面への出稿計画をまとめた出稿計画データを生成する。図４のフローチャートに示す動作は、図３（ａ）に示すデータ構成の出稿メモ情報ＳＫに基づいて出稿計画データを生成する場合であり、図５のフローチャートに示す動作は、図３（ｂ）に示すデータ構成の出稿メモ情報ＳＫに基づいて出稿計画データを生成する場合である。
【００４６】
図６に示す出稿計画データの例は、横軸を掲載日付ＤＴで、縦軸を出稿部門名ＢＮで表しているが、これに限るものではなく、例えば、縦軸をテーマ名ＴＭで、あるいは上位階層テーマ名ＵＴＭ、中位階層テーマ名ＭＴＭ、および下位階層テーマ名ＤＴＭのうちの何れかのテーマ名で表すなど、出稿メモ情報ＳＫを構成するデータ項目を任意に組み合わせて表示できるようにしている。
【００４７】
このように本発明の実施の形態に係る新聞紙面制作における出稿管理方法を適用した新聞紙面制作システムは、出稿メモ情報ＳＫに記載されたテーマ名ＴＭ、掲載日付ＤＴ、出稿部門名ＢＮ等がインデックスされた情報に基づいて、出稿計画データを生成し、後に各出稿メモ情報ＳＫに対応する素材情報が搬入された場合には、この出稿計画データを用いて各素材を自動的に分類するようにしている。
【００４８】
一方、本システムを用いていない友好社や、通信社などから素材情報の提供を受ける場合もある。このような場合、図３に示すような出稿メモ情報ＳＫは作成されているとは限らない。代わりに、素材情報の作成元である友好社や通信社の規則に則った属性情報が各素材情報に付されていることが多い。
【００４９】
例えば、図７にそのデータ構成例を示すような素材情報ＪＪは、素材の実体データＪＴに、素材ＩＤ番号ＩＤと、付属情報ＦＪと、素材の実体データの格納情報Ｄからなるものである。付属情報ＦＪとは具体的に送信元（通信社名、友好社名）、出稿部門名、ジャンル、分類コード、仮見出し、コメント等を含んでいる。
【００５０】
このような付属情報ＦＪが付された素材情報については、テーマ検索部１７が付属情報ＦＪに基づいてテーマ名ＴＭを決定する。すなわち、テーマ検索部１７は、付属情報ＦＪが付され、テーマ名ＴＭが付されていない素材に対して、図８、または図９および図１０、または図１１および図１２のフローチャートに示す通り動作し、後述する対応付けテーブルで定義した対応付けに基づいて、この付属情報ＦＪに対応付けられたテーマ名ＴＭを検索する。
【００５１】
図１３および図１４は、対応付けテーブルの一例を示すデータ構成図であり、図１３に示す対応付けテーブルＴＴは、条件データＣＤと、条件データＣＤの内容に対応するテーマ名ＴＭとからなるセットを複数レコード備えている。条件データＣＤは、送信元、ジャンル、分類コードからなる。例えば、送信元が「ＸＸ通信社」、ジャンルが「運動」、分類コードが「プ野」の素材の場合、この素材のテーマ名は「プロ野球」であるというように定め、テーマ名ＴＭとして「プロ野球」と入力しておく。このように、条件データＣＤに対応したテーマ名ＴＭを予め入力しておくことによって、テーマ名ＴＭは付与されていないが、条件データＣＤが付与されている素材について、テーマ検索部１７が、条件データＣＤを参照することによって、対応するテーマ名ＴＭを検索できるようにしている。
【００５２】
図１４に示す対応付けテーブルＴＢは、関連語ＲＦと、それに対応するテーマ名ＴＭとからなるセットを複数レコード備えている。関連語ＲＦは略語表記された文字列であり、例えば「高野」の場合、それに対応するテーマ名ＴＭは「高校野球」、関連語ＲＦが「ＪＦＬ」の場合、それに対応するテーマ名ＴＭは「Ｊリーグ」というように略語を完全表記したものをテーマ名ＴＭとしている。このように、関連語ＲＦに対応したテーマ名ＴＭを予め入力しておくことによって、テーマ名ＴＭは付与されていないが、関連語ＲＦが付与されている素材について、テーマ検索部１７が、関連語ＲＦを参照することによって、対応するテーマ名ＴＭを検索できるようにしている。対応付データ格納部１６は、このような対応付けテーブルＴＢを格納している。
【００５３】
素材格納部１８は、テーマ検索部１７によって検索されたテーマ名ＴＭを、対応する素材に付与し、このテーマ名ＴＭが付与された素材を格納する。このように素材格納部１８に格納された素材は、組版編集サーバ６から要求があった場合には、組版編集サーバ６に出力されるようにしている。
【００５４】
出稿メモ情報格納部１９は、図１５および図１６のフローチャートに示す通り動作し、出稿端末１２から出力された出稿メモ情報ＳＫのうち、掲載日付ＤＴが同一の各素材のそれぞれの出稿メモ情報ＳＫを、掲載日付ＤＴに関連付けて格納する。テーマ書込部２０は、出稿メモ情報格納部１９に格納された各出稿メモ情報ＳＫに、テーマ検索部１７によって検索されたテーマ名ＴＭを対応する素材に書き込む。
【００５５】
このように素材管理サーバ１１の何れかの部位によって処理されたデータは、組版編集サーバ６から要求があった場合には、組版編集サーバ６に出力されるようにしている。
【００５６】
次に、以上のように構成した本発明の実施の形態に係る新聞紙面制作における出稿管理方法を適用した新聞紙面制作システムの作用について説明する。
【００５７】
本発明の実施の形態に係る新聞紙面制作における出稿管理方法を適用した新聞紙面制作システムによって出稿管理を行う場合には、まず、取材記者によって、出稿メモ情報ＳＫが作成され、出稿端末１２から入力される。取材記者によって作成される出稿メモ情報ＳＫは、図３（ａ）に示すようにテーマ名ＴＭが記載されたものや、図３（ｂ）に示すようにこのテーマ名ＴＭがさらに上位階層テーマ名ＵＴＭ、中位階層テーマ名ＭＴＭ、下位階層テーマ名ＤＴＭに細分化されたものがある。このように出稿端末１２に入力された出稿メモ情報ＳＫは、素材管理サーバ１１の出稿計画データ生成部１４へと出力される。
【００５８】
図３（ａ）に示すようなデータ構成の出稿メモ情報ＳＫが出稿計画データ生成部１４に出力された場合には、図４のフローチャートに示すように出稿計画データ生成部１４が動作することによって出稿計画データが生成される。なお、図１７は、このように生成された出稿計画データＫＫのデータ構成例であって、図６に示す出稿計画データの各ブロックＢＣに含まれる各素材に対して、掲載日付ＤＴｐ、テーマ名ＴＭｐ、出稿部門名ＢＮｐ（ｐはブロック番号）、素材登録数ＳＥｐ、素材ＩＤ番号ＥＮｐｍ（ｍは素材の数）から構成されている。
【００５９】
一方、図３（ｂ）に示すようなデータ構成の出稿メモ情報ＳＫが出稿計画データ生成部１４に出力された場合には、図５のフローチャートに示すように出稿計画データ生成部１４が動作することによって図６にその一例を示すような出稿計画データが生成される。なお、図１８は、このように生成された出稿計画データＫＫのデータ構成例であって、図６に示す出稿計画データの各ブロックＢＣに含まれる各素材に対して、掲載日付ＤＴ、上位階層テーマ名ＵＴＭ、中位階層テーマ名ＭＴＭ、下位階層テーマ名ＤＴＭ、出稿部門名ＢＮ１から構成されている。
【００６０】
図３（ａ）に示すようなデータ構成の出稿メモ情報ＳＫが出稿計画データ生成部１４に出力されると、図４のフローチャートに示すように、まず、出稿メモ情報ＳＫの掲載日付ＤＴと一致する出稿計画データＫＫの掲載日付ＤＴが検索される（Ｓ１）。そして、出稿計画データＫＫ内に該当する掲載日付ＤＴが存在する場合（Ｓ２：Ｙｅｓ）には、出稿メモ情報ＳＫのテーマ名ＴＭおよび出稿部門名ＢＮと一致する出稿計画データＫＫの素材が検索される（Ｓ３）。そして、一致する素材が存在する場合（Ｓ４：Ｙｅｓ）には処理を終了する。
【００６１】
一方、一致する素材が存在しない場合（Ｓ４：Ｎｏ）には、出稿計画データＫＫに新規素材が追加され、追加された新規素材に、出稿メモ情報ＳＫのテーマ名ＴＭおよび出稿部門名ＢＮが書き込まれ（Ｓ５）、処理を終了する。
【００６２】
一方、ステップＳ２において、出稿計画データＫＫ内に該当する掲載日付ＤＴが存在しない場合（Ｓ２：Ｎｏ）には、出稿計画データＫＫに、出稿メモ情報ＳＫで指定された掲載日付ＤＴの領域が追加登録される（Ｓ６）。更に、出稿計画データＫＫに、新規素材が追加され、出稿メモ情報ＳＫのテーマ名ＴＭ、出稿部門名ＢＮが書き込まれ（Ｓ７）、処理を終了する。
【００６３】
次に、図３（ｂ）に示すようなデータ構成の出稿メモ情報ＳＫが出稿計画データ生成部１４に出力された場合には、図５のフローチャートに示すように、出稿メモ情報ＳＫの掲載日付ＤＴと一致する出稿計画データＫＫの掲載日付ＤＴが検索される（Ｓ１１）。そして、出稿計画データＫＫ内に該当する掲載日付ＤＴが存在する場合（Ｓ１２：Ｙｅｓ）には、出稿メモ情報ＳＫの上位階層テーマ名ＵＴＭ、中位階層テーマ名ＭＴＭ、下位階層テーマ名ＤＴＭ、および出稿部門名ＢＮと一致する出稿計画データＫＫの素材が検索される（Ｓ１３）。そして、一致する素材が存在する場合（Ｓ１４：Ｙｅｓ）には処理を終了する。
【００６４】
一方、一致する素材が存在しない場合（Ｓ１４：Ｎｏ）には、出稿計画データＫＫに新規素材が追加され、追加された新規情報に、出稿メモ情報ＳＫの上位階層テーマ名ＵＴＭ、中位階層テーマ名ＭＴＭ、下位階層テーマ名ＤＴＭ、および出稿部門名ＢＮが書き込まれ（Ｓ１５）、処理を終了する。
【００６５】
一方、ステップＳ１２において、出稿計画データＫＫ内に該当する掲載日付ＤＴが存在しない場合（Ｓ１２：Ｎｏ）には、出稿計画データＫＫに、出稿メモ情報ＳＫで指定された掲載日付ＤＴの領域が追加登録される（Ｓ１６）。更に、出稿計画データＫＫに、新規素材が追加され、出稿メモ情報ＳＫの上位階層テーマ名ＵＴＭ、中位階層テーマ名ＭＴＭ、下位階層テーマ名ＤＴＭ、および出稿部門名ＢＮが書き込まれ（Ｓ１７）、処理を終了する。
【００６６】
このようにして生成された出稿計画データＫＫは、図６に示すように、例えば横軸を掲載日付ＤＴで、縦軸を出稿部門名ＢＮで表しているが、表示方式はこれに限るものではなく、例えば、縦軸をテーマ名ＴＭで、あるいは上位階層テーマ名ＵＴＭ、中位階層テーマ名ＭＴＭ、および下位階層テーマ名ＤＴＭのうちの何れかのテーマ名で表すなど、出稿メモ情報ＳＫを構成するデータ項目を任意に組み合わせても表示される。後に、各出稿メモ情報ＳＫに対応する素材情報が搬入された場合には、この出稿計画データＫＫに基づいて各素材が自動的に分類される。
【００６７】
次に、本システムを用いていない友好社や、通信社などから素材情報の提供を受けた場合の処理について説明する。友好社や、通信社などから提供された素材情報ＪＪは、図７に示すように、テーマ名が書き込まれておらず、送信元、出稿部門名、ジャンル、分類コード、仮見出し、コメント等が含まれた付属情報ＦＪが書き込まれたデータ構成のものがある。
【００６８】
このような付属情報ＦＪが付された素材情報は、図８のフローチャートに示すように、付属情報ＦＪの内容が参照され、テーマ検索部１７によってテーマ名ＴＭが決定される。
【００６９】
すなわち、友好社や、通信社などから素材情報が提供されると、テーマ検索部１７によって、素材格納部１８に格納されている図１３にそのデータ構成を示すような対応付けテーブルＴＴが参照され、第１のレコードが対象とされる（Ｓ２１）。なお、ここでレコードとは、条件データＣＤとテーマ名ＴＭとからなる１組のデータのことである。
【００７０】
次に、対象素材の付属情報ＦＪの内容が、対応付けテーブルＴＴの当該レコードの条件データＣＤを満足しているか否かがチェックされ（Ｓ２２）、満足している場合（Ｓ２３：Ｙｅｓ）には、対応付けテーブルＴＴの対応するテーマ名ＴＭが、この素材のテーマ名ＴＭとされる（Ｓ２４）。そして、図１５および図１６のフローチャートに示すような処理がなされ（Ｓ２５）、処理を終了する。
【００７１】
一方、ステップＳ２３において、対象素材の付属情報ＦＪの内容が、対応付けテーブルＴＴの当該レコードの条件データＣＤを満足しておらず（Ｓ２３：Ｎｏ）、対応付けテーブルＴＴの全てのレコードに対して処理がなされた場合（Ｓ２６：Ｙｅｓ）には、該当する素材のテーマ名ＴＭは無しとされ、ステップＳ２５に進む。また、一方、対応付けテーブルＴＴの全てのレコードに対して処理がなされた訳ではない場合（Ｓ２６：Ｎｏ）には、対応付けテーブルＴＴの次のレコードが対象とされて（Ｓ２８）、ステップＳ２２に進む。
【００７２】
このようにして、各素材情報ＪＪに対してテーマ名ＴＭが付与される。
【００７３】
図１３に示すような対応付けテーブルＴＴの代わりに、図１４に示すような対応付けテーブルＴＢを用いてテーマ名を決定する場合には、図９および図１０に示すフローチャートに示すように、付属情報ＦＪの内容が参照され、テーマ検索部１７によってテーマ名ＴＭが決定される。
【００７４】
すなわち、友好社や、通信社などから素材情報ＪＪが提供されると、テーマ検索部１７によって、素材格納部１８に格納されている図１４にそのデータ構成を示すような対応付けテーブルＴＢが参照され、対象とする素材情報ＪＪの付属情報ＦＪの第１優先度の項目が対象とされる（Ｓ３１）。
【００７５】
次に、対応付けテーブルＴＢの第１レコードが対象とされ（Ｓ３２）、素材の付属情報ＦＪの対象項目が対応付けテーブルＴＢの対象レコードの関連語ＲＦと一致する場合（Ｓ３３：Ｙｅｓ）には、対応付けテーブルＴＢの対応するテーマ名ＴＭが、素材のテーマ名ＴＭとされる（Ｓ３４）。そして、図１５および図１６のフローチャートに示すような処理がなされ（Ｓ３５）た後に、処理を終了する。
【００７６】
一方、ステップＳ３３において、素材の付属情報ＦＪの対象項目が対応付けテーブルＴＢの対象レコードの関連語ＲＦと一致しておらず（Ｓ３３：Ｎｏ）、対応付けテーブルＴＢの全てのレコードに対して処理されている場合（Ｓ３６：Ｙｅｓ）には、ステップＳ３７の処理がなされる。
【００７７】
ステップＳ３７では、対象とする素材の付属情報ＦＪの項目が、照合すべき項目を全て処理したかが確認され、処理したと確認が得られた場合（Ｓ３７：Ｙｅｓ）には、この素材はテーマ名ＴＭがないものとされて（Ｓ３８）、ステップＳ３５の処理に移行する。一方、確認が得られなかった場合（Ｓ３７：Ｎｏ）には、素材の付属情報ＦＪで次の優先度の項目が対象とされて（Ｓ３９）ステップＳ３２に進む。
【００７８】
また、ステップＳ３６において、対応付けテーブルＴＢの全てのレコードに対して処理がされている訳ではない場合（Ｓ３６：Ｎｏ）には、対応付けテーブルＴＢの次のレコードが対象とされ（Ｓ４０）、ステップＳ３３に進む。
【００７９】
このようにして、各素材情報ＪＪに対してテーマ名ＴＭが付与される。
【００８０】
また、図１１および図１２のフローチャートに示すように、付属情報ＦＪの内容を参照せず、素材の実体データＪＴを参照することによってテーマ名ＴＭを決定することもできる。
【００８１】
この場合、まず、テーマ検索部１７によって、素材格納部１８に格納されている図１４にそのデータ構成を示すような対応付けテーブルＴＢが参照され、第１のレコードが対象とされる（Ｓ４１）。
【００８２】
次に、対象素材の実体データＪＴであるテキスト文字列に対して全文検索がかけられ、対応付けテーブルＴＢの対象レコードの関連語ＲＦと一致するか否かがチェックされ（Ｓ４２）、一致するものがある場合（Ｓ４３：Ｙｅｓ）には、対応付けテーブルＴＢの対応するテーマ名ＴＭが、この素材のテーマ名ＴＭとされ（Ｓ４４）、しかる後に図１５および図１６のフローチャートに示すような処理がなされ（Ｓ４５）、処理を終了する。
【００８３】
一方、ステップＳ４３において一致するものがない場合（Ｓ４３：Ｎｏ）であって、対応付けテーブルＴＢの全てのレコードに対して処理されている場合（Ｓ４６：Ｙｅｓ）には、該当する素材のテーマ名ＴＭは無しとされ（Ｓ４７）、ステップＳ４５に進む。また、一方、対応付けテーブルＴＢの全てのレコードに対して処理がなされた訳ではない場合（Ｓ４６：Ｎｏ）には、対応付けテーブルＴＢの次のレコードが対象とされて（Ｓ４８）、ステップＳ４２に進む。
【００８４】
次に、上述したステップＳ２５、ステップＳ３５、およびステップＳ４５において、出稿メモ情報格納部１９によってなされる処理について、図１５および図１６のフローチャートを用いて説明する。
【００８５】
まず、対象としている素材に掲載日付ＤＴが設定されている場合（Ｓ５１：Ｙｅｓ）には、素材の掲載日付ＤＴと一致する出稿計画データＫＫ内の掲載日付ＤＴｐが検索される（Ｓ５２）。そして、出稿計画データＫＫ内に該当する掲載日付ＤＴｐが存在する場合（Ｓ５３：Ｙｅｓ）には、素材に付与されたテーマ名ＴＭと一致する出稿計画データＫＫの素材が検索される（Ｓ５４）。そして、一致する素材が存在する場合（Ｓ５５：Ｙｅｓ）には、出稿計画データＫＫの該当素材に素材ＩＤ番号ＥＮが追加された（Ｓ５６）後に、素材格納部１８にこの素材が登録され（Ｓ５７）、処理を終了する。
【００８６】
一方、ステップＳ５３において、出稿計画データＫＫ内に該当する掲載日付ＤＴｐが存在しない場合（Ｓ５３：Ｎｏ）、およびステップＳ５５において、一致する素材が存在しない場合（Ｓ５５：Ｎｏ）には、それぞれステップＳ５７に進。
【００８７】
また、一方、ステップＳ５１において、対象としている素材に掲載日付ＤＴが設定されていない場合（Ｓ５１：Ｎｏ）には、出稿計画データＫＫにおいて検索する掲載日付ＤＴが当日とされる（Ｓ５８）。そして、出稿計画データＫＫの該当する掲載日付ＤＴの素材が検索され、該当素材に付与されたテーマ名ＴＭと一致する素材が存在するか否かが検索され（Ｓ５９）、存在する場合（Ｓ６０：Ｙｅｓ）には、ステップＳ５６に進む。一方、存在しない場合（Ｓ６０：Ｎｏ）であって、更に出稿計画データＫＫの全ての掲載日付ＤＴに対して処理がなされた場合（Ｓ６１：Ｙｅｓ）には処理を終了し、まだ処理がなされていない掲載日付ＤＴがある場合（Ｓ６１：Ｎｏ）には出稿計画データＫＫによってサーチする掲載日付ＤＴが次の掲載日付ＤＴにされてステップＳ５９に進む。
【００８８】
このようにして、素材情報ＪＪに対してテーマ名ＴＭが付与され、更に付与されたテーマ名ＴＭが、出稿メモ情報ＳＫの対応する素材に書き込まれる。
【００８９】
なお、素材に付与された掲載日付ＤＴに一致する出稿計画データＫＫ内の該当する掲載日付ＤＴにテーマ名ＴＭが存在しない場合には、図１９および図２０のフローチャートに示すようにして、出稿計画データＫＫの掲載日付ＤＴに対するテーマ名ＴＭが追加される。
【００９０】
すなわち、対象とする素材に掲載日付ＤＴが設定されている場合（Ｓ７１：Ｙｅｓ）には、この素材の掲載日付ＤＴに一致する出稿計画データＫＫ内の掲載日付ＤＴが検索され（Ｓ７２）、この掲載日付ＤＴが存在する場合（Ｓ７３：Ｙｅｓ）には、素材に付与されたテーマ名ＴＭに一致する出稿計画データＫＫのレコードが検索される（Ｓ７４）。そして、一致する出稿計画データＫＫのレコードが存在する場合（Ｓ７５：Ｙｅｓ）には、出稿計画データＫＫの該当レコードに素材ＩＤ番号ＥＮが追加され（Ｓ７６）、素材格納部１８にこの素材が登録される（Ｓ７７）。
【００９１】
一方、ステップＳ７５において、一致する出稿計画データＫＫのレコードが存在しない場合（Ｓ７５：Ｎｏ）には、出稿計画データＫＫに新規レコードが追加され、素材に付与されたテーマ名ＴＭが書き込まれる（Ｓ７８）。
【００９２】
また、一方、ステップＳ７１において、対象とする素材に掲載日付ＤＴが設定されていない場合（Ｓ７１：Ｎｏ）には、出稿計画データＫＫにおいて検索される掲載日付ＤＴが当日とされ（Ｓ７９）、出稿計画データＫＫの該当掲載日付ＤＴのレコードが検索され、該当素材に付与されたテーマ名ＴＭに一致するレコードがあるか否かが確認される（Ｓ８０）。
【００９３】
そして、素材に付与されたテーマ名ＴＭに一致するレコードが存在する場合（Ｓ８１：Ｙｅｓ）には、ステップＳ７６に進む一方、存在しない場合（Ｓ８１：Ｎｏ）であって、出稿計画データＫＫの全ての掲載日付ＤＴに対して処理がなされた場合（Ｓ８２）には、処理を終了する。
【００９４】
一方、ステップＳ８２において、未だ処理されていない掲載日付ＤＴが出稿計画データＫＫにある場合（Ｓ８２）には、出稿計画データＫＫにおいて検索する掲載日付が次の日付とされて（Ｓ８３）、ステップＳ８０に進む。
【００９５】
このように素材管理サーバ１１の何れかの部位によって処理されたデータは、組版編集サーバ６から要求があった場合には、組版編集サーバ６に出力され、新聞紙面の制作に供される。
【００９６】
上述したように、本発明の実施の形態に係る新聞紙面制作における出稿管理方法を適用した新聞紙面制作システムにおいては、上記のような作用により、実際の素材情報が搬入されていない段階であっても、出稿メモ情報ＳＫにまとめられた断片的な情報に基づいて、任意のタイミングで出稿計画データＫＫを立案することができ、更に、この出稿計画データＫＫに基づいて、素材の分類を自動的に行うことができ、新聞紙面の制作効率を向上することが可能となる。
【００９７】
また、例えば他通信社や、友好社などから提供され、テーマが付与されていない素材であっても、素材情報の内容に基づいて自動的にテーマを付与することができる。その結果、他通信社や友好社のように第三者から提供された素材に対しても適用することができ、あるテーマに関連する素材を広く取り扱うことができ、新聞紙面の制作能力をより高めることが可能となる。
【００９８】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００９９】
【発明の効果】
以上説明したように、本発明によれば、取材前に予め素材の内容をインデックスした出稿メモを作成し、この出稿メモに基づいて各素材の紙面への出稿計画をまとめ、この出稿計画を素材の分類に活用することによって、素材の分類時におけるオペレータの負担を軽減することができる。
【０１００】
その結果、新聞制作効率の向上を図ることが可能な新聞紙面の制作システム、および新聞紙面制作における出稿管理方法を実現することができる。
【図面の簡単な説明】
【図１】本発明の実施の形態に係る新聞紙面制作における出稿管理方法を適用した新聞紙面制作システムの構成例を示す機能ブロック図
【図２】素材管理サーバの詳細構成例を示す機能ブロック図
【図３】出稿メモ情報の一例を示すデータ構成図
【図４】出稿計画データ生成時の動作を示すフローチャート
【図５】素材割付部の動作を示すフローチャート
【図６】素材割付部の動作を示すフローチャート
【図７】属性情報の一例を示すデータ構成図
【図８】テーマ検索部の動作を示すフローチャート
【図９】テーマ検索部の動作を示すフローチャート
【図１０】テーマ検索部の動作を示すフローチャート
【図１１】テーマ検索部の動作を示すフローチャート
【図１２】テーマ検索部の動作を示すフローチャート
【図１３】対応付けテーブルの一例を示すデータ構成図
【図１４】対応付けテーブルの別の一例を示すデータ構成図
【図１５】出稿メモ情報格納部の動作を示すフローチャート
【図１６】出稿メモ情報格納部の動作を示すフローチャート
【図１７】出稿計画データの一例を示すデータ構成図
【図１８】出稿計画データの一例を示すデータ構成図
【図１９】出稿計画データの掲載日付に対するテーマ名追加時における動作を示すフローチャート
【図２０】出稿計画データの掲載日付に対するテーマ名追加時における動作を示すフローチャート
【図２１】従来技術による新聞紙面制作システムを示す機能構成図
【符号の説明】
１…記事入力／校正端末
２…記事サーバ
３…画像入力／加工端末
４…画像サーバ
５…組版端末
６…組版編集サーバ
７…紙面データ格納部
８…出力サーバ
９…プリンタ／プロッタ
１１…素材管理サーバ
１２…出稿端末
１４…出稿計画データ生成部
１６…対応付データ格納部
１７…テーマ検索部
１８…素材格納部
１９…出稿メモ情報格納部
２０…テーマ書込部
７１…紙面データ
【図１】
2004005123.tif 000003
【図２】
2004005123.tif 000004
【図３】
2004005123.tif 000005
【図４】
2004005123.tif 000006
【図５】
2004005123.tif 000007
【図６】
2004005123.tif 000008
【図７】
2004005123.tif 000009
【図８】
2004005123.tif 000010
【図９】
2004005123.tif 000011
【図１０】
2004005123.tif 000012
【図１１】
2004005123.tif 000013
【図１２】
2004005123.tif 000014
【図１３】
2004005123.tif 000015
【図１４】
2004005123.tif 000016
【図１５】
2004005123.tif 000017
【図１６】
2004005123.tif 000018
【図１７】
2004005123.tif 000019
【図１８】
2004005123.tif 000020
【図１９】
2004005123.tif 000021
【図２０】
2004005123.tif 000022
【図２１】
2004005123.tif 000023